(57)【要約】【課題】ユーザが意図した回転光学要素の回転角度で撮影を行うことで所望の撮影効果を得ることができる撮影装置及び撮影装置の自動連続撮影方法を提供する。【解決手段】撮影光学系を介して被写体像を撮像する撮像部と、前記撮影光学系の光路上において回転することで異なる撮影効果を与える回転光学要素と、前記回転光学要素を回転駆動する回転駆動部と、前記回転駆動部によって前記回転光学要素を回転させることで該回転光学要素の撮影効果を変化させながら、前記撮像部に複数回の連続撮像を実行させる自動連続撮影制御部と、を備えることを特徴とする撮影装置。【選択図】図４
2014042126.tif 000002
【特許請求の範囲】
【請求項１】
撮影光学系を介して被写体像を撮像する撮像部と、
前記撮影光学系の光路上において回転することで異なる撮影効果を与える回転光学要素と、
前記回転光学要素を回転駆動する回転駆動部と、
前記回転駆動部によって前記回転光学要素を回転させることで該回転光学要素の撮影効果を変化させながら、前記撮像部に複数回の連続撮像を実行させる自動連続撮影制御部と、を備えることを特徴とする撮影装置。
【請求項２】
請求項１記載の撮影装置において、
前記回転光学要素を、前記撮影光学系の光路上に位置する挿入位置と、前記撮影光学系の光路上から離脱した離脱位置との間で挿脱駆動する挿脱駆動機構をさらに備え、
前記自動連続撮影制御部は、前記挿脱駆動機構によって前記回転光学要素を前記離脱位置に位置させた状態においても前記撮像部に撮像を実行させる撮影装置。
【請求項３】
請求項１または２記載の撮影装置において、
前記撮像部が撮像した被写体像の輝度信号を取得する輝度信号取得部をさらに備え、
前記自動連続撮影制御部は、前記輝度信号取得部が取得した輝度信号の輝度ピーク位置を検出し、検出した輝度ピーク位置を基準として、前記撮像部に複数回の連続撮像を実行させる撮影装置。
【請求項４】
請求項３記載の撮影装置において、
前記自動連続撮影制御部は、前記輝度信号取得部が取得した輝度信号の最大ピーク位置及び／又は最小ピーク位置の近傍において、前記撮像部に複数回の連続撮像を実行させる撮影装置。
【請求項５】
請求項３記載の撮影装置において、
前記自動連続撮影制御部は、前記輝度信号取得部が取得した輝度信号の最大ピーク位置、最小ピーク位置、及び最大ピーク位置と最小ピーク位置の中間位置において、前記撮像部に複数回の連続撮像を実行させる撮影装置。
【請求項６】
請求項３ないし５のいずれか１項記載の撮影装置において、
前記自動連続撮影制御部は、前記輝度信号取得部が取得した輝度信号の輝度ピーク位置を検出できなかったとき、前記回転光学要素の撮影効果が変化する１周期分の回転角度の範囲内において、前記回転駆動部によって前記回転光学要素を所定の回転角度ずつ回転させながら、前記撮像部に複数回の連続撮像を実行させる撮影装置。
【請求項７】
請求項１または２記載の撮影装置において、
前記自動連続撮影制御部は、前記回転光学要素の撮影効果が変化する１周期分の回転角度の範囲内において、前記回転駆動部によって前記回転光学要素を所定の回転角度ずつ回転させながら、前記撮像部に複数回の連続撮像を実行させる撮影装置。
【請求項８】
請求項１ないし７のいずれか１項記載の撮影装置において、
前記撮像部の複数回の連続撮像によって得られた複数の画像を比較可能に表示する表示部と、前記表示部が表示した複数の画像の少なくとも１つを選択する選択部と、前記選択部が選択した画像を記憶する記憶部とをさらに備える撮影装置。
【請求項９】
請求項１ないし８のいずれか１項記載の撮影装置において、
前記回転光学要素は、前記撮影光学系を通過する光束の偏光状態を変化させる偏光フィルタからなる撮影装置。
【請求項１０】
撮影光学系を介して被写体像を撮像する撮像部と、前記撮影光学系の光路上において回転することで異なる撮影効果を与える回転光学要素と、前記回転光学要素を回転駆動する回転駆動部と、を備える撮影装置において、
前記回転駆動部によって前記回転光学要素を回転させることで該回転光学要素の撮影効果を変化させながら、前記撮像部に複数回の連続撮像を実行させることを特徴とする撮影装置の自動連続撮影方法。
【発明の詳細な説明】
【技術分野】
【０００１】
本発明は、撮影装置及び撮影装置の自動連続撮影方法に関する。
【背景技術】
【０００２】
従来、撮影光学系の光路上において回転することで撮影光学系を通過する光束の偏光状態を変化させる偏光フィルタ（回転光学要素）を備えたカメラ（撮影装置）が知られている。
【０００３】
この種のカメラを用いて撮影を行う技術として、特許文献１には、偏光フィルタを透過する光量が最小になる回転角度（つまり偏光フィルタによる偏光効果が最も大きい回転角度）で偏光フィルタを停止させて撮影を行うことが記載されている。
【先行技術文献】
【特許文献】
【０００４】
【特許文献１】特開平３−１９２２３１号公報
【発明の概要】
【発明が解決しようとする課題】
【０００５】
しかし、偏光フィルタの最適角度はユーザの主観（撮影趣向）によって様々である。この点において特許文献１は、偏光フィルタを透過する光量が最小になる回転角度で一律に偏光フィルタを停止させて撮影を行うので、ユーザによっては意図しない偏光フィルタの回転角度で撮影を行うことになり所望の偏光効果が得られないおそれがある。もしユーザが意図しない偏光フィルタの回転角度で撮影を行うと、結局ユーザが手動で偏光フィルタの回転角度を調整する手間が掛かり、その調整中にシャッターチャンスを逃してしまうことにもなりかねない。
【０００６】
本発明は、以上の問題意識に基づいて完成されたものであり、ユーザが意図した回転光学要素の回転角度で撮影を行うことで所望の撮影効果を得ることができる撮影装置及び撮影装置の自動連続撮影方法を提供することを目的とする。
【課題を解決するための手段】
【０００７】
本発明は、回転光学要素を回転させて撮影効果を変化させながら複数回の自動連続撮影を実行すれば、その自動連続撮影の中に、ユーザが意図した回転光学要素の回転角度での撮影が含まれる可能性が極めて高い、という着眼に基づいて完成されたものである。
【０００８】
本発明の撮影装置は、撮影光学系を介して被写体像を撮像する撮像部と、前記撮影光学系の光路上において回転することで異なる撮影効果を与える回転光学要素と、前記回転光学要素を回転駆動する回転駆動部と、前記回転駆動部によって前記回転光学要素を回転させることで該回転光学要素の撮影効果を変化させながら、前記撮像部に複数回の連続撮像を実行させる自動連続撮影制御部と、を備えることを特徴としている。
【０００９】
本発明の撮影装置は、前記回転光学要素を、前記撮影光学系の光路上に位置する挿入位置と、前記撮影光学系の光路上から離脱した離脱位置との間で挿脱駆動する挿脱駆動機構をさらに備え、前記自動連続撮影制御部は、前記挿脱駆動機構によって前記回転光学要素を前記離脱位置に位置させた状態においても前記撮像部に撮像を実行させることができる。
【００１０】
本発明の撮影装置は、前記撮像部が撮像した被写体像の輝度信号を取得する輝度信号取得部をさらに備え、前記自動連続撮影制御部は、前記輝度信号取得部が取得した輝度信号の輝度ピーク位置を検出し、検出した輝度ピーク位置を基準として、前記撮像部に複数回の連続撮像を実行させることができる。
【００１１】
この場合、前記自動連続撮影制御部は、前記輝度信号取得部が取得した輝度信号の最大ピーク位置及び／又は最小ピーク位置の近傍において、前記撮像部に複数回の連続撮像を実行させることができる。あるいは、前記自動連続撮影制御部は、前記輝度信号取得部が取得した輝度信号の最大ピーク位置、最小ピーク位置、及び最大ピーク位置と最小ピーク位置の中間位置において、前記撮像部に複数回の連続撮像を実行させることもできる。
【００１２】
前記自動連続撮影制御部は、前記輝度信号取得部が取得した輝度信号の輝度ピーク位置を検出できなかったとき、前記回転光学要素の撮影効果が変化する１周期分の回転角度の範囲内において、前記回転駆動部によって前記回転光学要素を所定の回転角度ずつ回転させながら、前記撮像部に複数回の連続撮像を実行させることができる。
【００１３】
前記自動連続撮影制御部は、前記輝度信号取得部が取得した輝度信号を用いることなく、前記回転光学要素の撮影効果が変化する１周期分の回転角度の範囲内において、前記回転駆動部によって前記回転光学要素を所定の回転角度ずつ回転させながら、前記撮像部に複数回の連続撮像を実行させることができる。
【００１４】
本発明の撮影装置は、前記撮像部の複数回の連続撮像によって得られた複数の画像を比較可能に表示する表示部と、前記表示部が表示した複数の画像の少なくとも１つを選択する選択部と、前記選択部が選択した画像を記憶する記憶部とをさらに備えることができる。
【００１５】
前記回転光学要素は、前記撮影光学系を通過する光束の偏光状態を変化させる偏光フィルタから構成することができる。
【００１６】
本発明の撮影装置の自動連続撮影方法は、撮影光学系を介して被写体像を撮像する撮像部と、前記撮影光学系の光路上において回転することで異なる撮影効果を与える回転光学要素と、前記回転光学要素を回転駆動する回転駆動部と、を備える撮影装置において、前記回転駆動部によって前記回転光学要素を回転させることで該回転光学要素の撮影効果を変化させながら、前記撮像部に複数回の連続撮像を実行させることを特徴としている。
【発明の効果】
【００１７】
本発明によれば、ユーザが意図した回転光学要素の回転角度で撮影を行うことで所望の撮影効果を得ることができる撮影装置及び撮影装置の自動連続撮影方法を提供することができる。
【図面の簡単な説明】
【００１８】
【図１】本発明によるデジタルカメラの構成を示すブロック図である。
【図２】輝度信号の最大ピーク位置及び／又は最小ピーク位置の近傍において複数回の連続撮像を実行する場合を示すグラフである。
【図３】輝度信号の最大ピーク位置、最小ピーク位置、及び最大ピーク位置と最小ピーク位置の中間位置において複数回の連続撮像を実行する場合を示すグラフである。
【図４】本発明による撮影装置の自動連続撮影方法の第１実施形態を示すフローチャートである。
【図５】本発明による撮影装置の自動連続撮影方法の第２実施形態を示すフローチャートである。
【図６】本発明による撮影装置の自動連続撮影方法の第３実施形態を示すフローチャートである。
【発明を実施するための形態】
【００１９】
図１は、本発明によるデジタルカメラ（撮影装置）１００のブロック図である。デジタルカメラ１００は、カメラボディ１００Ｂの内部の撮影光軸Ｚ上に位置させて、物体側から順に、固定レンズ（撮影光学系）１０１と、可動のフォーカシングレンズ（撮影光学系）１０２と、ＣＣＤ（撮像部）１０３とを備えている。固定レンズ１０１とフォーカシングレンズ１０２を介して入射した被写体光束は、ＣＣＤ１０３の撮像面１０３ａに結像して被写体像が撮像される。フォーカシングレンズ１０２は、フォーカシングモータを含むフォーカシングレンズ駆動部１０２ａにより駆動されて、フォーカシング時に撮影光軸Ｚ方向に移動する。
【００２０】
デジタルカメラ１００は、ＣＣＤ１０３の前方の固定レンズ１０１とフォーカシングレンズ１０２の間に、偏光フィルタ（回転光学要素）１１０を備えている。偏光フィルタ１１０は、挿脱駆動機構１０４によって、撮影光軸Ｚ（撮影光学系の光路）上に位置する挿入位置と、撮影光軸Ｚ（撮影光学系の光路）上から離脱した離脱位置との間で挿脱駆動される。挿脱駆動機構１０４は、偏光フィルタ１１０を保持したフィルタ枠（図示せず）を挿入位置と離脱位置との間で挿脱駆動するための挿脱駆動モータ（図示せず）を備えている。挿脱駆動機構１０４の具体的な構成は、例えば特開２００６−３３７６９４号公報、特開２００６−３３７６９５号公報、特開２００７−３９７０号公報、特開２００７−３９７１号公報、特開２００７−３３４８１号公報、特開２００７−２２５７１２号公報に開示されているように周知であるので、ここでは詳細な説明を省略する。
【００２１】
偏光フィルタ１１０は、その挿入位置において、偏光フィルタ駆動部（回転駆動部）１１１により駆動されて、撮影光軸Ｚ回りに回転自在である。図示していないが、偏光フィルタ駆動部１１１は、偏光フィルタ１１０を所定角度ずつステップ駆動するステッピングモータと、このステッピングモータを回転制御するモータドライバとを備えている。
【００２２】
偏光フィルタ１１０は、自身の偏光方向（偏光格子の方向）に振動する光のみを透過させる機能を持つ直線偏光フィルタである。直線偏光フィルタは、その回転角度がθ°のときの偏光効果とその回転角度がθ＋１８０°のときの偏光効果とが同一となる偏光特性を有している。つまり、直線偏光フィルタの偏光効果が変化する１周期分の回転角度は１８０°である。偏光フィルタ１１０を撮影光軸Ｚ回りに回転させてその偏光方向（偏光格子の方向）を調整することで、ＣＣＤ１０３に入射する被写体光束の偏光状態を変化させて、被写体の反射を低減または除去することができる。
【００２３】
デジタルカメラ１００は、ＣＰＵ（自動連続撮影制御部）１２０と、Ａ／Ｄ変換器１０５と、信号処理回路１０６と、画像記録部（記憶部）１０７と、ＬＣＤモニタ（表示部）１０８と、撮影操作部１０９とを備えている。ＣＰＵ１２０は、デジタルカメラ１００の全体の機能を制御する。Ａ／Ｄ変換器１０５は、ＣＣＤ１０３の撮像面１０３ａに結像した被写体像をアナログ信号からデジタル信号に変換して信号処理回路１０６に送る。信号処理回路１０６は、Ａ／Ｄ変換器１０５から送られたデジタル信号に所定の画像処理を施して画像信号とする。この画像信号は、ＣＰＵ１２０を介して、画像記録部１０７に記録され、ＬＣＤモニタ１０８に表示される。撮影操作部１０９は、例えば電源レバー、ズームスイッチ、シャッターボタン、モードダイヤルなどの撮影操作を行うものである。
【００２４】
デジタルカメラ１００は、輝度信号取得部１３０を備えている。この輝度信号取得部１３０は、ＣＣＤ１０３が撮像した被写体像の輝度信号を取得してＣＰＵ１２０に出力する。
【００２５】
デジタルカメラ１００は、自動連続撮影ボタン１４０を備えている。自動連続撮影ボタン１４０が操作されると、ＣＰＵ（自動連続撮影制御部）１２０は、偏光フィルタ１１０の挿入位置において、偏光フィルタ駆動部１１１によって偏光フィルタ１１０を回転させることで、偏光フィルタ１１０の偏光効果を変化させながら、ＣＣＤ１０３に複数回の連続撮像を実行させる。さらにＣＰＵ（自動連続撮影制御部）１２０は、挿脱駆動機構１０４によって偏光フィルタ１１０を離脱位置に位置させた状態においても、ＣＣＤ１０３に撮像を実行させる。
【００２６】
偏光フィルタ１１０を回転させて偏光効果を変化させながら複数回の自動連続撮影を実行する際の制御方法として、以下の［第１の態様］と［第２の態様］がある。
【００２７】
［第１の態様］
ＣＰＵ（自動連続撮影制御部）１２０は、自動連続撮影ボタン１４０が操作されると、偏光フィルタ駆動部１１１によって偏光フィルタ１１０を１８０°回転させ、その間に輝度信号取得部１３０が取得した輝度信号を受け取るスキャニング動作を実行する。
【００２８】
ＣＰＵ（自動連続撮影制御部）１２０は、輝度信号取得部１３０が取得した輝度信号の輝度ピーク位置を検出し、検出した輝度ピーク位置を基準として、ＣＣＤ１０３に複数回の連続撮像を実行させる。
【００２９】
より具体的にＣＰＵ（自動連続撮影制御部）１２０は、図２に示すように、輝度信号取得部１３０が取得した輝度信号の最大ピーク位置（４５°）及び／又は最小ピーク位置（１３５°）の近傍において、ＣＣＤ１０３に複数回の連続撮像を実行させる。輝度信号取得部１３０が取得した輝度信号の最大ピーク位置（４５°）とその周辺の回転角度の範囲を自動的にピックアップして複数回の連続撮影を実行することで、例えば「反射効果を全面に出すピーク撮影（例えば虹を強調して撮影するのに最適である）を行うのを原則としつつ、場合によって反射を強めて色ガブリを写真に取り込みたい」というユーザの主観（撮影趣向）に沿った所望の偏光効果の撮影画像を得ることができる。一方、輝度信号取得部１３０が取得した輝度信号の最小ピーク位置（１３５°）とその周辺の回転角度を自動的にピックアップして複数回の連続撮影を実行することで、例えば「反射を少し残しつつ、物体の質感も重視したい」というユーザの主観（撮影趣向）に沿った所望の偏光効果の撮影画像を得ることができる。また偏光フィルタ１１０の偏光効果が中間となる回転角度では撮影を行わないことで、「偏光フィルタ１１０の偏光効果が中途半端となる撮影を防止して無駄な撮影枚数を減らしたい」というユーザの主観（撮影趣向）に応えることができる。
【００３０】
あるいは、ＣＰＵ（自動連続撮影制御部）１２０は、図３に示すように、輝度信号取得部１３０が取得した輝度信号の最大ピーク位置（４５°）、最小ピーク位置（１３５°）、及び最大ピーク位置と最小ピーク位置の中間位置（９０°）において、ＣＣＤ１０３に複数回の連続撮像を実行させる。このように、偏光フィルタ１１０の偏光効果が大きい回転角度と小さい回転角度とその中間の回転角度で複数回の連続撮影を実行することで、偏光フィルタ１１０の偏光効果を大幅に変化させた複数枚の撮影画像を得ることができ、「偏光フィルタ１１０の偏光効果の強中弱をそれぞれ撮影したい」というユーザの主観（撮影趣向）に沿った所望の偏光効果の撮影画像を得ることができる。
【００３１】
［第２の態様］
ＣＰＵ（自動連続撮影制御部）１２０は、偏光フィルタ１１０の偏光効果が変化する１周期分の回転角度（１８０°）の範囲内において、偏光フィルタ駆動部１１１によって偏光フィルタ１１０を所定角度ずつ回転させながら、ＣＣＤ１０３に複数回の連続撮像を実行させる。例えば、ＣＰＵ（自動連続撮影制御部）１２０は、偏光フィルタ１１０を１０°ずつ回転させながらＣＣＤ１０３に１８回の連続撮像を実行させ、偏光フィルタ１１０を１５°ずつ回転させながらＣＣＤ１０３に１２回の連続撮像を実行させ、偏光フィルタ１１０を２０°ずつ回転させながらＣＣＤ１０３に９回の連続撮像を実行させ、あるいは偏光フィルタ１１０を３０°ずつ回転させながらＣＣＤ１０３に６回の連続撮像を実行させる。これらの詳細設定は、ユーザのマニュアルで指定してもよいし、デジタルカメラ１００側で自動で行ってもよい。
【００３２】
上記［第１の態様］又は［第２態様］において、ＣＣＤ１０３の複数回の連続撮像によって得られた複数枚の撮影画像は、ＬＣＤモニタ（表示部）１０８に比較可能に一覧表示される。デジタルカメラ１００には、ＬＣＤモニタ１０８に表示された複数枚の撮影画像の少なくとも１つを選択する画像選択ボタン（選択部）１５０が備えられており、この画像選択ボタン１５０によって選択した撮影画像が画像記録部（記憶部）１０７に記録（記憶）される。
【００３３】
なお、ＣＣＤ１０３の複数回の連続撮像によって得られた複数枚の撮影画像を全て画像記録部１０７に記録して、記録した撮影画像を外部機器（例えばＰＣ）に転送した後に、ユーザが外部機器を操作して所望の撮影画像を選択してもよい。
【００３４】
続いて、図４、図５、図６のフローチャートを参照して、本発明によるデジタルカメラ１００の自動連続撮影方法の第１実施形態、第２実施形態、第３実施形態について説明する。
【００３５】
［第１実施形態］
図４のフローチャートは上記［第１の態様］に対応する自動連続撮影方法を示している。
【００３６】
まずＣＰＵ（自動連続撮影制御部）１２０は、自動連続撮影ボタン１４０が操作されたか否かを判定する（ステップＳ１）。ＣＰＵ（自動連続撮影制御部）１２０は、自動連続撮影ボタン１４０が操作されていないときは（ステップＳ１：ＮＯ）、自動連続撮影を実行しない。自動連続撮影ボタン１４０の操作は、ユーザが三脚等を用いてデジタルカメラ１００の姿勢を固定した状態で行う。
【００３７】
ＣＰＵ（自動連続撮影制御部）１２０は、自動連続撮影ボタン１４０が操作されたときは（ステップＳ１：ＹＥＳ）、偏光フィルタ１１０を挿入位置に位置させる（ステップＳ２）。つまりＣＰＵ（自動連続撮影制御部）１２０は、自動連続撮影ボタン１４０が操作された時点で偏光フィルタ１１０が挿入位置にあるときはその状態を維持し、自動連続撮影ボタン１４０が操作された時点で偏光フィルタ１１０が離脱位置にあるときは、挿脱駆動機構１０４を介して偏光フィルタ１１０を離脱位置から挿入位置に挿入駆動する。
【００３８】
次いでＣＰＵ（自動連続撮影制御部）１２０は、偏光フィルタ駆動部１１１によって偏光フィルタ１１０を１８０°回転させ、その間に輝度信号取得部１３０が取得した輝度信号を受け取るスキャニング動作を実行する（ステップＳ３）。
【００３９】
次いでＣＰＵ（自動連続撮影制御部）１２０は、輝度信号取得部１３０が取得した輝度信号を解析して、その輝度信号から輝度ピーク位置の検出を試みる（ステップＳ４）。ＣＰＵ（自動連続撮影制御部）１２０は、輝度信号取得部１３０が取得した輝度信号の輝度ピーク位置を検出できなかったときは（ステップＳ４：ＮＯ）、ＬＣＤモニタ１０８にエラー表示を出して、ユーザに自動連続撮影ボタン１４０の再操作を促す。自動連続撮影ボタン１４０の再操作が行われたときは（ステップＳ５：ＹＥＳ）、ステップＳ３に戻ってスキャニング動作を再実行する。自動連続撮影ボタン１４０の再操作が行われなかったときは（ステップＳ５：ＮＯ）、自動連続撮影を行うことなく処理を終了する。
【００４０】
ＣＰＵ（自動連続撮影制御部）１２０は、輝度信号取得部１３０が取得した輝度信号の輝度ピーク位置を検出できたときは（ステップＳ４：ＹＥＳ）、検出した輝度ピーク位置を基準として（図２、図３）、ＣＣＤ１０３に複数回の連続撮像を実行させる（ステップＳ６）。
【００４１】
最後にＣＰＵ（自動連続撮影制御部）１２０は、挿脱駆動機構１０４を介して偏光フィルタ１１０を挿入位置から離脱位置に離脱駆動して（ステップＳ７）、偏光フィルタ１１０の離脱位置においてＣＣＤ１０３に撮像を実行させる（ステップＳ８）。偏光フィルタ１１０の挿入位置のみならず離脱位置においても撮影を実行することで、偏光フィルタ１１０を挿入した状態と外した状態の両方の撮影画像を得てこれらを比較することができる。ユーザによっては、偏光フィルタ１１０を挿入してその偏光効果を小さくして撮影するべきかあるいは偏光フィルタ１１０を外して撮影するべきかを迷うシチュエーションが存在するので、偏光フィルタ１１０を挿入した状態と外した状態の両方の画像を自動連続撮影に含めることの優位性は極めて高い。
【００４２】
ここで、例えば自動連続撮影ボタン１４０が操作された時点で偏光フィルタ１１０が離脱位置にあるときは、挿脱駆動機構１０４を介して偏光フィルタ１１０を離脱位置から挿入位置に挿入駆動する前に、偏光フィルタ１１０の離脱位置における撮影を実行してもよい（ステップＳ１の処理とステップＳ２の処置の間にステップＳ８の処理を割り込ませてもよい）。
【００４３】
［第２実施形態］
図５のフローチャートは上記［第２の態様］に対応する自動連続撮影方法を示している。第１実施形態と重複する処理ステップの説明は可能な限り簡略化している。
【００４４】
まずＣＰＵ（自動連続撮影制御部）１２０は、自動連続撮影ボタン１４０が操作されたか否かを判定する（ステップＳ１１）。ＣＰＵ（自動連続撮影制御部）１２０は、自動連続撮影ボタン１４０が操作されていないときは（ステップＳ１１：ＮＯ）、自動連続撮影を実行しない。
【００４５】
ＣＰＵ（自動連続撮影制御部）１２０は、自動連続撮影ボタン１４０が操作されたときは（ステップＳ１１：ＹＥＳ）、偏光フィルタ１１０を挿入位置に位置させる（ステップＳ１２）。
【００４６】
次いでＣＰＵ（自動連続撮影制御部）１２０は、偏光フィルタ１１０の偏光効果が変化する１周期分の回転角度（１８０°）の範囲内において、偏光フィルタ駆動部１１１によって偏光フィルタ１１０を所定角度ずつ回転させながら、ＣＣＤ１０３に複数回の連続撮像を実行させる（ステップＳ１３）。
【００４７】
最後にＣＰＵ（自動連続撮影制御部）１２０は、挿脱駆動機構１０４を介して偏光フィルタ１１０を挿入位置から離脱位置に離脱駆動して（ステップＳ１４）、偏光フィルタ１１０の離脱位置においてＣＣＤ１０３に撮像を実行させる（ステップＳ１５）。
【００４８】
［第３実施形態］
図６のフローチャートは上記［第１態様］と［第２態様］を組み合わせた自動連続撮影方法を示している。第１実施形態及び第２実施形態と重複する処理ステップの説明は可能な限り簡略化している。
【００４９】
まずＣＰＵ（自動連続撮影制御部）１２０は、自動連続撮影ボタン１４０が操作されたか否かを判定する（ステップＳ２１）。ＣＰＵ（自動連続撮影制御部）１２０は、自動連続撮影ボタン１４０が操作されていないときは（ステップＳ２１：ＮＯ）、自動連続撮影を実行しない。
【００５０】
ＣＰＵ（自動連続撮影制御部）１２０は、自動連続撮影ボタン１４０が操作されたときは（ステップＳ２１：ＹＥＳ）、偏光フィルタ１１０を挿入位置に位置させる（ステップＳ２２）。
【００５１】
次いでＣＰＵ（自動連続撮影制御部）１２０は、偏光フィルタ駆動部１１１によって偏光フィルタ１１０を１８０°回転させ、その間に輝度信号取得部１３０が取得した輝度信号を受け取るスキャニング動作を実行する（ステップＳ２３）。
【００５２】
次いでＣＰＵ（自動連続撮影制御部）１２０は、輝度信号取得部１３０が取得した輝度信号を解析して、その輝度信号から輝度ピーク位置の検出を試みる（ステップＳ２４）。
【００５３】
ＣＰＵ（自動連続撮影制御部）１２０は、輝度信号取得部１３０が取得した輝度信号の輝度ピーク位置を検出できたときは（ステップＳ２４：ＹＥＳ）、検出した輝度ピーク位置を基準として（図２、図３）、ＣＣＤ１０３に複数回の連続撮像を実行させる（ステップＳ２５）。
【００５４】
ＣＰＵ（自動連続撮影制御部）１２０は、輝度信号取得部１３０が取得した輝度信号の輝度ピーク位置を検出できなかったときは（ステップＳ２４：ＮＯ）、偏光フィルタ１１０の偏光効果が変化する１周期分の回転角度（１８０°）の範囲内において、偏光フィルタ駆動部１１１によって偏光フィルタ１１０を所定角度ずつ回転させながら、ＣＣＤ１０３に複数回の連続撮像を実行させる（ステップＳ２６）。
【００５５】
最後にＣＰＵ（自動連続撮影制御部）１２０は、挿脱駆動機構１０４を介して偏光フィルタ１１０を挿入位置から離脱位置に離脱駆動して（ステップＳ２７）、偏光フィルタ１１０の離脱位置においてＣＣＤ１０３に撮像を実行させる（ステップＳ２８）。
【００５６】
このように第３実施形態では、ＣＰＵ（自動連続撮影制御部）１２０が、輝度信号取得部１３０が取得した輝度信号の輝度ピーク位置を検出できなかったときに、偏光フィルタ１１０の偏光効果が変化する１周期分の回転角度（１８０°）の範囲内において、偏光フィルタ駆動部１１１によって偏光フィルタ１１０を所定角度ずつ回転させながら、ＣＣＤ１０３に複数回の連続撮像を実行させる。これによりユーザは、自動連続撮影ボタン１４０を１回操作するだけで、シャッターチャンスを逃すことなく、偏光フィルタ１１０の偏光効果を変化させた複数枚の撮影画像を得ることができる。
【００５７】
このように本実施形態では、自動連続撮影制御部１２０が、回転駆動部１１１によって回転光学要素１１０を回転させることで回転光学要素１１０の撮影効果を変化させながら、撮像部１０３に複数回の連続撮像を実行させるので、ユーザが意図した回転光学要素１１０の回転角度で撮影を行うことで所望の撮影効果を得ることができる。
【００５８】
以上の実施形態では、自動連続撮影ボタン１４０を撮影操作部１０９とは別の構成要素として描いているが、自動連続撮影ボタン１４０を撮影操作部１０９のシャッターボタンの一機能として設ける態様も可能である。この態様では、デジタルカメラ１００側で「自動連続撮影モード」なるモードを設定可能としておき、この「自動連続撮影モード」が設定されているときに、撮影操作部１０９のシャッターボタンが自動連続撮影ボタンとして機能する。
【００５９】
以上の実施形態では、輝度信号取得部１３０が取得した輝度信号に基づいて偏光フィルタ１１０の回転角度を制御する場合を例示して説明した。しかし輝度信号の他にも、ＲＧＢ信号若しくはコントラスト信号又はこれらの組み合わせに基づいて、偏光フィルタ１１０の回転角度を制御することもできる。
【００６０】
以上の実施形態では、偏光フィルタ１１０を１周期分（１８０°）回転させて輝度信号を取得するスキャニング動作の後に複数回の連続撮影を実行する場合を例示して説明したが、スキャニング動作中に複数回の連続撮影を実行することもできる。
【００６１】
以上の実施形態では、偏光フィルタ１１０として直線偏光フィルタを用いた場合を例示して説明したが、円偏光フィルタを用いることも可能である。円偏光フィルタは、その回転角度位置がθ°のときの偏光効果とその回転角度位置がθ＋９０°のときの偏光効果とが同一となる偏光特性を有している。
【００６２】
以上の実施形態では、回転光学要素として偏光フィルタ１１０を用いた場合を例示して説明した。しかし、回転光学要素は、撮影光学系の光路上において回転することで異なる撮影効果を与えるものであればよく、偏光フィルタ以外に、例えば、クロスフィルタ、多面効果フィルタ、ＮＤフィルタ、ハーフＮＤフィルタなどを用いることも可能である。
【００６３】
以上の［第１実施形態］及び［第３実施形態］では、スキャニング動作において偏光フィルタ１１０を１周期分（１８０°）回転させているが、スキャニング動作における偏光フィルタ１１０の回転量はこれに限定されず、種々の設計変更が可能である。
【００６４】
以上の［第２実施形態］及び［第３実施形態］では、偏光フィルタ１１０の偏光効果が変化する１周期分の回転角度（１８０°）の範囲内において、偏光フィルタ駆動部１１１によって偏光フィルタ１１０を所定角度ずつ回転させながら、ＣＣＤ１０３に複数回の連続撮像を実行させている。しかし、ＣＣＤ１０３による複数回の連続撮像を実行するときの偏光フィルタ１１０の回転角度の範囲は、これに限定されるものではなく、種々の設計変更が可能である。
【符号の説明】
【００６５】
Ｚ  撮影光軸
１００  デジタルカメラ（撮影装置）
１００Ｂ  カメラボディ
１０１  固定レンズ（撮影光学系）
１０２  フォーカシングレンズ（撮影光学系）
１０２ａ  フォーカシングレンズ駆動部
１０３  ＣＣＤ（撮像部）
１０３ａ  撮像面
１０４  挿脱駆動機構
１０５  Ａ／Ｄ変換器
１０６  信号処理回路
１０７  画像記録部（記憶部）
１０８  ＬＣＤモニタ（表示部）
１０９  撮影操作部
１１０  偏光フィルタ（回転光学要素）
１１１  偏光フィルタ駆動部（回転駆動部）
１２０  ＣＰＵ（自動連続撮影制御部）
１３０  輝度信号取得部
１４０  自動連続撮影ボタン
１５０  画像選択ボタン（選択部）
【図１】
2014042126.tif 000003
【図２】
2014042126.tif 000004
【図３】
2014042126.tif 000005
【図４】
2014042126.tif 000006
【図５】
2014042126.tif 000007
【図６】
2014042126.tif 000008